(57)【要約】【課題】筐体の外観の意匠性を向上させる装飾パネル付き筐体を、簡便な構成で安価に生成する手法を提案し、当該装飾パネル付き筐体を備えるディスプレイ装置を提供する。【解決手段】装飾パネル付き筐体を備えるディスプレイ装置であって、装飾パネル付き筐体は筺体本体と装飾パネルとを含む。筺体本体は嵌合部を有する。装飾パネルは嵌合部に嵌合して筺体本体に固定される。装飾パネルは、少なくとも表示面側の表層部分が可視光の少なくとも一部を透過させる機能を有する第１樹脂からなり、第１樹脂の下層にあたる基材部分が第１樹脂よりも可視光を透過させる機能が低い第２樹脂からなり、第１樹脂と第２樹脂とを含む２種類以上の樹脂材料を用いて多層構造でありかつ押し出し方向に直交する任意の断面の形状が同一になるように共押し出し成形により形成されたものである。【選択図】図４
2012141432.tif 000002
【特許請求の範囲】
【請求項１】
装飾パネル付き筐体を備えるディスプレイ装置であって、
前記装飾パネル付き筐体は、
筺体本体と、
前記筺体本体に固定される装飾パネルとを含み、
前記装飾パネルは、
少なくとも表示面側の表層部分が、可視光の少なくとも一部を透過させる機能を有する第１樹脂からなり、
前記第１樹脂の下層にあたる基材部分が、前記第１樹脂よりも可視光を透過させる機能が低い第２樹脂からなり、
前記第１樹脂と前記第２樹脂とを含む２種類以上の樹脂材料を用いて、多層構造であり、かつ押し出し方向に直交する任意の断面の形状が同一になるように、共押し出し成形により形成されたものであることを特徴とするディスプレイ装置。
【請求項２】
前記装飾パネルは、
前記断面において、前記第１樹脂の厚みが、部分的、又は全体的に異なることを特徴とする請求項１に記載のディスプレイ装置。
【請求項３】
前記第１樹脂は、有色透明樹脂であり、
前記装飾パネルは、
前記断面において、前記第１樹脂の厚みが、連続的に変化していることを特徴とする請求項２に記載のディスプレイ装置。
【請求項４】
前記第２樹脂は、メタリック樹脂、又はホワイト樹脂であり、前記第１樹脂よりも、可視光を反射する機能が高いことを特徴とする請求項３に記載のディスプレイ装置。
【請求項５】
前記装飾パネルは、
前記断面において、前記第２樹脂の厚みが、前記第１樹脂の厚みに応じて異なり、前記第１樹脂と前記第２樹脂との厚みの合計が、全体的に略一定であることを特徴とする請求項２に記載のディスプレイ装置。
【請求項６】
前記嵌合部は、
弾性変形しながら嵌合することにより、前記装飾パネルが前記筺体本体に固定されることを特徴とする請求項１に記載のディスプレイ装置。
【発明の詳細な説明】
【技術分野】
【０００１】
本発明は、プラズマディスプレイパネルや液晶ディスプレイパネル等を表示デバイスとして用いたディスプレイ装置に関し、より特定的には、ディスプレイ装置に用いる筐体の外観の意匠性を向上させる装飾パネル付き筐体を、簡便な構成で安価に生成するための技術に関する。
【背景技術】
【０００２】
近年、プラズマディスプレイパネルや液晶パネル等を表示デバイスとして用いた平面表示装置が一般に広く普及している。中でもプラズマディスプレイパネルは、大別してＡＣ駆動型とＤＣ駆動型があり、また面放電型と対向放電型の２種類の放電形式がある。高精細化、大画面化、及び製造の簡便性の観点から、現状では３電極構造の面放電型のプラズマディスプレイパネルが主流になっている。
【０００３】
面放電型のプラズマディスプレイパネルは、少なくとも前面側が透明な一対の基板を、基板間に放電空間が形成されるように対向配置するとともに、放電空間を複数に仕切るための隔壁を基板内に配置している。さらに、隔壁により仕切られた放電空間毎に放電が発生するように基板に電極群を配置するとともに、放電により赤色、緑色、及び青色に発光する各々の蛍光体を放電空間毎に設けて、赤色用、緑色用、及び青色用の各放電セルを規則的に配置している。そして動作時には、放電により発生する波長の短い真空紫外光によって各々の蛍光体が励起され、赤色用、緑色用、及び青色用の任意の放電セルからそれぞれ赤色、緑色、及び青色の可視光を発することによりカラー表示を行っている。
【０００４】
このようなプラズマディスプレイパネルを用いたプラズマディスプレイ装置は、液晶パネルを用いた液晶表示装置に比べて、高速の表示が可能であり、視野角が広く、大型化が容易であり、かつ自発光型であるため表示品質が高い。以上のような理由から、プラズマディスプレイ装置は、最近特に注目を集めており、主に多くの人が集まる場所における大画面の表示装置や、家庭において家族みんなで楽しむためのリビングルーム用の表示装置等として、各種の用途に使用されている。
【０００５】
プラズマディスプレイ装置においては、ガラスが主成分のパネルを、アルミニウムなどの金属製のシャーシ部材の前面側に保持させ、そのシャーシ部材の背面側に、パネルを発光させるための駆動回路を構成する回路基板を配置することにより、モジュールを構成している（特許文献１参照）。
【０００６】
一方、従来の平面表示装置において、筐体の外観における意匠性を向上させるための手法として、有色透明樹脂で形成した板状の射出成形品の裏面側に、板厚を変化させた偏肉部を設けた後に、裏面全体にメタリック塗料を施して反射膜を形成することによって作成した装飾パネルを、筐体表面に貼り付ける構成が考案されている。このような構成によって、樹脂成形品に形成した模様が立体的に見えるという視覚効果を得ることができる。
【先行技術文献】
【特許文献】
【０００７】
【特許文献１】特開２００５−３３１５５６号公報
【発明の概要】
【発明が解決しようとする課題】
【０００８】
上記した従来の意匠性を向上させるための手法では、装飾パネルを筐体表面に貼り付ける際に、装飾パネルの裏面に予め両面粘着テープを貼り付けておき、これを筐体表面に貼り付けている。しかしながら、この様な作業は、あまり効率がよいとは言えず、作業面、及びコスト面について改良すべき点が見受けられる。
【０００９】
それ故に、本発明は、筐体の外観の意匠性を向上させる装飾パネル付き筐体を、簡便な構成で安価に生成する手法を提案し、このような装飾パネル付き筐体を備えるディスプレイ装置を提供することを目的とする。
【課題を解決するための手段】
【００１０】
上記課題を解決するために、本発明のディスプレイ装置は、装飾パネル付き筐体を備えるディスプレイ装置であって、前記装飾パネル付き筐体は、筺体本体と、前記筺体本体に固定される装飾パネルとを含み、前記装飾パネルは、少なくとも表示面側の表層部分が、可視光の少なくとも一部を透過させる機能を有する第１樹脂からなり、前記第１樹脂の下層にあたる基材部分が、前記第１樹脂よりも可視光を透過させる機能が低い第２樹脂からなり、前記第１樹脂と前記第２樹脂とを含む２種類以上の樹脂材料を用いて、多層構造であり、かつ押し出し方向に直交する任意の断面の形状が同一になるように、共押し出し成形により形成されたものであることを特徴とする。
【発明の効果】
【００１１】
本発明のディスプレイ装置を用いれば、装飾パネルの表層部分に可視光の少なくとも一部を透過させる第１樹脂を、第１樹脂の下層にあたる部分に可視光を透過しにくい第２樹脂を、共押し出し成形により一工程で形成することができる。よって、装飾パネル付き筐体を簡便な構成で安価に生成することができる。
【００１２】
また、第１樹脂の厚みが連続的に変化しているので、グラデーション効果のある意匠表現が実現できる。
また、装飾パネルが、筺体本体が有する嵌合部に嵌合して固定されるので、従来の両面粘着テープにより貼り付ける方法に較べて、安価で容易に所定の位置に取り付けることができる。
【図面の簡単な説明】
【００１３】
【図１】本発明の第１の実施形態における薄型テレビの概略を示す図
【図２】装飾パネル付き筐体２０の外観を正面（視聴方向）から見た図
【図３】図２の装飾パネル付き筐体２０を構成部品ごとに分解した様子を示す図
【図４】図２、図３に示した装飾パネル３０を筐体本体４０に嵌め込む様子を示す図
【図５】装飾パネル付き筐体２０の右下のコーナーの部分を正面から見た図
【図６】図５に示した装飾パネル付き筐体２０を、Ａ１−Ａ２の一点鎖線の位置で切断した断面を示す図
【図７】図５に示した装飾パネル付き筐体２０を、Ｂ１−Ｂ２の二点鎖線の位置で切断した断面を示す図
【図８】変形例１における上記図６に相当する図
【発明を実施するための形態】
【００１４】
［第１の実施形態］
＜構成＞
図１は、本発明の第１の実施形態における薄型テレビの概略を示す図である。
図１に示すように、薄型テレビ１は、プラズマディスプレイパネルや液晶パネル等の表示デバイスであって、略長方形の表示面を持つ映像表示パネル１０と、映像表示パネル１０の表示面の外周を取り囲む略長方形の枠体である装飾パネル付き筐体２０とを含む。
図２は、装飾パネル付き筐体２０の外観を正面（視聴方向）から見た図である。
図３は、図２の装飾パネル付き筐体２０を構成部品ごとに分解した様子を示す図である。
【００１５】
図２、図３に示すように、装飾パネル付き筐体２０は、２個の装飾パネル３０、及び、１個の筐体本体４０により構成されている。
装飾パネル３０は、２種類の樹脂材料を共押し出し成形した多層構造の樹脂押出成形品である。ここで、装飾パネル３０は、略長方形の枠体である装飾パネル付き筐体２０の少なくとも１辺を構成する。本実施形態では、装飾パネル３０は、装飾パネル付き筐体２０の上下の２個の長辺を構成している。装飾パネル３０の詳細は後述する。
筐体本体４０は、樹脂を射出成形で形成したものであって、装飾パネル付き筐体２０から装飾パネル３０を除いた残りであり、嵌合部４１を有する。ここで、装飾パネル３０が嵌合部４１に嵌合して、筐体本体４０に固定される。
【００１６】
図４は、図２、図３に示した装飾パネル３０を筐体本体４０に嵌め込む様子を示す図である。
図５は、装飾パネル付き筐体２０の右下のコーナーの部分を正面から見た図である。
図６は、図５に示した装飾パネル付き筐体２０を、Ａ１−Ａ２の一点鎖線の位置で切断した断面を、図中の矢印Ａ３の方向から見た図である。
図７は、図５に示した装飾パネル付き筐体２０を、Ｂ１−Ｂ２の二点鎖線の位置で切断した断面を、図中の矢印Ｂ３の方向から見た図である。
【００１７】
図４〜７に示すように、装飾パネル３０は、表示面側の表層部分３１が、可視光の少なくとも一部を透過させる機能を有する第１樹脂からなり、第１樹脂の下層にあたる基材部分３２が、第１樹脂よりも可視光を透過させる機能が低い、あるいは可視光をほとんど透過させない第２樹脂からなる。
また、装飾パネル３０は、第１樹脂及び第２樹脂の２種類の樹脂材料を用いて、多層構造であり、かつ押し出し方向に直交する任意の断面の形状（図４の部分に相当）が略同一になるように、共押し出し成形により形成されたものである。ここで共押し出し成形とは、複数の押出機を使って同時に、シリンダー内で加熱しスクリューで加圧した溶融状態の合成樹脂を、押出金型の吐出口から押し出して積層し、一工程で複数の素材を一度に押し出して重ねる手法である。
【００１８】
ここで第１樹脂は、有色かつ光を透過する有色透明樹脂が好ましいので、本実施形態では、アクリルとＡＢＳのアロイ材を使用しているが、特にこの材料に限定されることはなく、例えば、アクリル、ポリカーボネート、ナイロンなど様々な樹脂を使用することができる。
【００１９】
第２樹脂は、第１樹脂と成形性の相性が良く、線膨張係数が同程度である必要があるため、基本的は表層部分３１と同系の材料を使用する。また第２樹脂は、第１樹脂よりも可視光を反射する機能が高い方が好ましいので、本実施形態では、光の反射効率を上げるため、アルミ粒子を混入することでメタリックに着色されたメタリック樹脂を用いている。なお、第２樹脂の反射率を更に向上させるために、酸化チタンによるホワイト着色を施したホワイト樹脂を用いてもよい。
【００２０】
なお、本実施形態では、第１樹脂が薄型テレビの表示面側となる面の表層部分のみに積層されているが、例えば、薄型テレビの側面側となる面の表層部分等の他の部分に積層してもよい。
また、装飾パネル３０は、第１樹脂と第２樹脂とを含む２種類以上の樹脂材料を用いて、共押し出し成形により形成してもよい。
【００２１】
さらに上記任意の断面において、第１樹脂の厚みが、部分的、又は全体的に異なるようにしてもよい。本実施形態では、図４に示すように、上記任意の断面において、第１樹脂の厚みが連続的に変化しており、左側では薄く右側へいくにともない厚くなっている。
さらに、上記任意の断面において、第２樹脂の厚みが、第１樹脂の厚みに応じて異なっていてもよい。本実施形態では、図４に示すように、第１樹脂の厚みが厚くなった分だけ第２樹脂の厚みが薄くなり、第１樹脂と第２樹脂との厚みの合計が、全体的に略一定になっている。
【００２２】
また、突起３３及び突起３４は、基材部分３２の筐体本体４０に対向する裏面に、押し出し方向に沿って形成されたＬ字型形状の弾性変形可能な部分であり、その一部が嵌合部４１に嵌合する。なお、本実施形態ではＬ字型形状の突起を２つ有しているが、１つ以上有ればよい。
取り付け桟４２は、筐体本体４０における、装飾パネル３０が取り付けられる部分であり、適当な間隔で嵌合部４１が複数設けられている。嵌合部４１は弾性変形可能な部分であり、突起３３及び突起３４の一部が勘合する際に、弾性変形しながら嵌合することにより、装飾パネル３０が筺体本体４０に隙間なく固定され、位置合わせが正確に行われる。
【００２３】
＜変形例１＞
図８は、変形例１における上記図６に相当する図である。
第１の実施形態では、装飾パネル３０の表層部分３１と基材部分３２の肉厚が、押し出し方向に直交する任意の断面において連続的に変化するとしたが、図８に示すように、表層部分３５及び基材部分３６の肉厚を部分的に変化させて多様なデザインに対応することもできる。
【００２４】
＜まとめ＞
以上のように、装飾パネル３０の表層部分３１を有色透明樹脂とし、その肉厚を、押し出し方向に直交する任意の断面において、連続的に変化させることにより、グラデーション効果のある意匠表現が実現できる。また上記肉厚を部分的に変化させて多様なデザインに対応することもできる。さらに、装飾パネル３０を、筐体本体４０に前面から押し当てて、突起３３及び突起３４を、主に嵌合部４１が弾性変形しながら嵌め込むことで、位置合わせを自動的に行い固定することができる。よって、従来の両面粘着テープにより貼り付ける方法に較べて、装飾パネル３０を安価で容易に所定の位置に取り付けることができるため生産性に優れる。
【産業上の利用可能性】
【００２５】
本発明のディスプレイ装置は、プラズマテレビや液晶テレビ等のあらゆる平面表示装置に適用可能であり、安価で容易にデザイン性に優れた装飾パネルを生成することができ、かつ装飾パネルは容易に筐体本体に固定することができるため、汎用品から高級品まで、あるいは小型テレビから大型テレビまで、幅広く利用することができる。
【符号の説明】
【００２６】
１    薄型テレビ
１０  映像表示パネル
２０  装飾パネル付き筐体
３０  装飾パネル
３１  表層部分
３２  基材部分
３３、３４  突起
３５  表層部分
３６  基材部分
４０  筐体本体
４１  嵌合部
４２  取り付け桟
【図１】
2012141432.tif 000003
【図２】
2012141432.tif 000004
【図３】
2012141432.tif 000005
【図４】
2012141432.tif 000006
【図５】
2012141432.tif 000007
【図６】
2012141432.tif 000008
【図７】
2012141432.tif 000009
【図８】
2012141432.tif 000010